(57)【要約】  【課題】  最小限の型枠や支保工を用い、施工期間の短縮が可能なコンクリート構造体の施工方法の提供。  【解決手段】  型枠２７を一般支保工４６と特定支保工４７により支えて、型枠２７内にコンクリートを流し込み、コンクリートが設計強度に達する前の不完全養生状態で一般支保工４６を取り外して特定支保工４７により型枠２７を支え、設計強度に達した後に特定支保工４７を取り外す。【選択図】  図２
2006226106.tif 000002
【特許請求の範囲】
【請求項１】
略水平な床部を上下に複数有するコンクリート構造体を、型枠を設置して支保工を型枠の下側に配置して型枠を支えて型枠内にコンクリートを流し込んで行うコンクリート構造体の施工方法において、前記支保工は一般支保工と特定支保工が用いられ、型枠内にコンクリートを流し込む前に一般支保工を設置し、コンクリートが設計強度に達する前の不完全養生状態で一般支保工を取り外して特定支保工により床部を支え、コンクリートが設計強度に達した後に特定支保工を取り外すことを特徴とするコンクリート構造体の施工方法。
【請求項２】
一般支保工を取り外す前に、特定支保工の支持力を大きくする支持力調整作業を行うことを特徴とする請求項１に記載のコンクリート構造体の施工方法。
【請求項３】
支持力調整作業後の特定支保工の支持力は１．９６ｋＮ以上であることを特徴とする請求項２に記載のコンクリート構造体の施工方法。
【請求項４】
前記床部の下側に用いられる型枠の下側に複数の型枠保持材を全面に配置し、前記型枠支持材は一般支保工により支えられ、一般支保工は型枠保持材を介して型枠を支えていることを特徴とする請求項１〜３のいずれかに記載のコンクリート構造体の施工方法。
【請求項５】
特定支保工は型枠に直接接触していることを特徴とする請求項４に記載のコンクリート構造体の施工方法。
【請求項６】
前記床部の下側に用いられる型枠は、所定の形状をした定形型枠と、前記定形型枠と形状が異なる異形型枠が用いられ、特定支保工は異形型枠を支えていることを特徴とする請求項１〜５のいずれかに記載のコンクリート構造体の施工方法。
【請求項７】
前記特定支保工は複数の場所に配置されており、前記特定支保工の配置は、直線状の配列である、又は、直線状の配列を複数有して前記直線状の配列の全てが略平行であることを特徴とする請求項１〜６のいずれかに記載のコンクリート構造体の施工方法。
【請求項８】
前記床部の形状は略長方形であり、特定支保工の直線状の配列は前記長方形の長辺に対して略平行であることを特徴とする請求項７に記載のコンクリート構造体の施工方法。
【請求項９】
前記特定支保工は複数の場所に配置されており、隣接する他の特定支保工との間隔は２ｍ以上であって５ｍ以下であることを特徴とする請求項１〜８のいずれかに記載のコンクリート構造体の施工方法。
【請求項１０】
コンクリート構造体には梁が設けられており、前記梁は前記特定支保工によって支えられていることを特徴とする請求項１〜９のいずれかに記載のコンクリート構造体の施工方法。
【請求項１１】
前記特定支保工は、前記一般支保工よりも支持可能な荷重が大きいことを特徴とする請求項１〜１０のいずれかに記載のコンクリート構造体の施工方法。
【請求項１２】
一般支保工を取り外す際のコンクリートの圧縮強度は、単位平方ｍｍ当たり１３Ｎ以上であることを特徴とする請求項１〜１１のいずれかに記載のコンクリート構造体の施工方法。
【請求項１３】
前記型枠をコンクリート構造体の一部として使用することを特徴とする請求項１〜１２のいずれかに記載のコンクリート構造体の施工方法。
【発明の詳細な説明】
【技術分野】
【０００１】
本発明は、マンションなどのコンクリート系構造体を施工する方法に関するものである。
【背景技術】
【０００２】
マンションやビルなどの建造物には、建造物の構造上の基礎となるコンクリートの構造体１００が用いられている。コンクリートの構造体１００は図１、図９、図１０に示されており、柱１１、壁部１２、梁部１３及びスラブ１０等が設けられている。そして、梁部１３とスラブ１０により床部９が形成される。
【０００３】
そして、コンクリートの構造体１００の従来工法として、各階ごとを１つの単位として、下側から順番に、現場でコンクリートを固めながら形成する工法がある。
具体的には、空間が所定のコンクリートの形状となるように型枠を設置し、その後、型枠にコンクリートを流し込み、さらにコンクリートを養生させて型枠を取り外していく。
【０００４】
コンクリートは、流し込んでから徐々に強度が上昇する。したがって、所定の時間が経過するまでは養生させ、設計強度が出るまでの間は、仮設構造物である支保工によって型枠ごと荷重を支えて、自重などによってひび割れや破壊を防止している。特に、スラブ１０や梁部１３は、水平面に位置しているので強度が必要であり、充分な養生期間が必要であった。そして、養生後、設計強度となる時間が経過した後に、型枠と支保工を取り外している。
【０００５】
また、柱１１、壁部１２、梁部１３及びスラブ１０には、必要に応じて鉄筋や鉄骨が用いられ、コンクリートが形成されると鉄筋コンクリート（ＲＣ）や鉄骨鉄筋コンクリート（ＳＲＣ）となる。具体的には、型枠を設置する前に鉄筋や鉄骨を設置して、コンクリートを流し込んで固めていく。このようなコンクリート構造体の施工方法の従来技術として、特許文献１に記載されるようなものがある。
【特許文献１】特公平３−５４７５７号公報
【発明の開示】
【発明が解決しようとする課題】
【０００６】
上記の、コンクリートを流し込んで打設した後、型枠と支保工を取り外すまでの養生期間は長く、通常の場合、４週間程度必要である。そして、その間は、型枠と支保工が残っている。型枠や支保工を残したままでは、設備配管工事及び仕上げ工事などができず、例えばコンクリート壁の表面処理、サッシの取り付け、ダクトの取り付け、電気配線、ユニットバスなどの搬入や設置、間仕切り壁の造作ができなかった。
したがって、上記仕上げ工事の開始が遅れるため、コンクリートの構造体１００の施工期間が長期となってしまう。
【０００７】
最上階のコンクリートを打設してから、仕上げ工程の開始までを短縮することができれば、短縮した期間がほぼそのまま工期の短縮が可能となる。
【０００８】
また、特に高層マンションなどの場合には、工期の短縮のため、下の階のコンクリートの養生期間中に、上の階のコンクリートの打設を行っている。したがって、下の階の型枠や支保工を転用することができず、型枠や支保工が複数階分のセットが必要であり、多量の資材を必要としていた。
【０００９】
そこで、最小限の型枠や支保工を用い、施工期間の短縮が可能なコンクリート構造体の施工方法の提供を課題とする。
【課題を解決するための手段】
【００１０】
そして、上記した目的を達成するための請求項１に記載の発明は、略水平な床部を上下に複数有するコンクリート構造体を、型枠を設置して支保工を型枠の下側に配置して型枠を支えて型枠内にコンクリートを流し込んで行うコンクリート構造体の施工方法において、前記支保工は一般支保工と特定支保工が用いられ、型枠内にコンクリートを流し込む前に一般支保工を設置し、コンクリートが設計強度に達する前の不完全養生状態で一般支保工を取り外して特定支保工により床部を支え、コンクリートが設計強度に達した後に特定支保工を取り外すことを特徴とするコンクリート構造体の施工方法である。
【００１１】
請求項１に記載の発明によれば、一般支保工と特定支保工を用いて型枠を支え、コンクリートが設計強度に達する前の不完全養生状態で一般支保工を取り外すことができ、短期間で一般支保工を取り外すことができるので、早期に次工程の作業が可能であり、また、上側のコンクリート構造体を形成する場合に一般支保工の転用が可能である。さらに、不完全養生状態で一般支保工を取り外しても、特定支保工により床部を支えているので、コンクリートの破損を防止することができる。
【００１２】
請求項２に記載の発明は、一般支保工を取り外す前に、特定支保工の支持力を大きくする支持力調整作業を行うことを特徴とする請求項１に記載のコンクリート構造体の施工方法である。
【００１３】
請求項２に記載の発明によれば、特定支保工の支持力を大きくする支持力調整作業が行われるので、特定支保工による支持が確実な状態で一般支保工を取り外すこととなり、一般支保工を取り外す際にコンクリート構造体の破損を防止できる。
なお、支持力調整作業は、特定支保工の設置後であって、一般支保工を取り外す前であればよい。また、支持力調整作業する際には、コンクリートに一定の強度が必要であるので、コンクリート打設後から、中１日程度の期間が経過後が望ましい。さらに、一般支保工の取り外しの作業の段取りの関係上、一般支保工の取り外しの作業の前日が望ましい。
また、特定支保工の設置はコンクリート打設前でも打設後でもよく、さらに、特定支保工の設置をコンクリート打設前に一般支保工と同時に行っても良い。
【００１４】
請求項３に記載の発明は、支持力調整作業後の特定支保工の支持力は１．９６ｋＮ以上であることを特徴とする請求項２に記載のコンクリート構造体の施工方法である。
【００１５】
請求項３に記載の発明によれば、支持力調整作業後の特定支保工の支持力は１．９６ｋＮ以上であるので、一般支保工を取り外して特定支保工だけで支える際に、確実に支えることができる。さらに、支持力調整作業後の特定支保工の支持力を５．８８ｋＮ以上とすることが望ましい。
【００１６】
請求項４に記載の発明は、前記床部の下側に用いられる型枠の下側に複数の型枠保持材を全面に配置し、前記型枠支持材は一般支保工により支えられ、一般支保工は型枠保持材を介して型枠を支えていることを特徴とする請求項１〜３のいずれかに記載のコンクリート構造体の施工方法である。
【００１７】
請求項４に記載の発明によれば、前記床部の下側に用いられる型枠の下側に複数の型枠保持材を全面に配置し、前記型枠支持材は一般支保工により支えられて、一般支保工は型枠保持材を介して型枠を支えているので、広範囲の型枠の設置が容易となり、また、一般支保工を取り外すことにより、一般支保工に保持された根太・大引等の型枠保持材を取り外すことができる。
【００１８】
請求項５に記載の発明は、特定支保工は型枠に直接接触していることを特徴とする請求項４に記載のコンクリート構造体の施工方法である。
【００１９】
請求項５に記載の発明によれば、特定支保工は型枠に直接接触しているので、一般支保工を取り外すことにより全ての型枠保持材を取り外すことができる。
【００２０】
請求項６に記載の発明は、前記床部の下側に用いられる型枠は、所定の形状をした定形型枠と、前記定形型枠と形状が異なる異形型枠が用いられ、特定支保工は異形型枠を支えていることを特徴とする請求項１〜５のいずれかに記載のコンクリート構造体の施工方法である。
【００２１】
請求項６に記載の発明によれば、特定支保工により直接に支えている型枠は異形型枠であるので、利用価値の高い定形型枠を多く使用することができる。すなわち、不完全養生状態で一般支保工を取り外した状態では、特定支保工により支えられている型枠は取り外すことができない。しかしながら、かかる型枠は異形型枠であり、型枠を転用する場合に定形型枠を多く使用することができる。
【００２２】
請求項７に記載の発明は、前記特定支保工は複数の場所に配置されており、前記特定支保工の配置は、直線状の配列である、又は、直線状の配列を複数有して前記直線状の配列の全てが略平行であることを特徴とする請求項１〜６のいずれかに記載のコンクリート構造体の施工方法である。
【００２３】
請求項７に記載の発明によれば、前記特定支保工は複数の場所に配置されており、前記特定支保工の配置は、直線状の配列である、又は、直線状の配列を複数有して前記直線状の配列の全てが略平行であるので、特定支保工を設置する場所の数を少なくしながらバランス良く支えることが可能である。
【００２４】
請求項８に記載の発明は、前記床部の形状は略長方形であり、特定支保工の直線状の配列は前記長方形の長辺に対して略平行であることを特徴とする請求項７に記載のコンクリート構造体の施工方法である。
【００２５】
請求項８に記載の発明によれば、特定支保工の直線状の配列を前記長方形の長辺に対して略平行となるように配置されているので、コンクリート構造体の床部の形状として多く採用されている略長方形状の場合に、バランス良く支えることが可能である。
【００２６】
請求項９に記載の発明は、前記特定支保工は複数の場所に配置されており、隣接する他の特定支保工との間隔は２ｍ以上であって５ｍ以下であることを特徴とする請求項１〜８のいずれかに記載のコンクリート構造体の施工方法である。
【００２７】
請求項９に記載の発明によれば、隣接する他の特定支保工との間隔は２ｍ以上であって５ｍ以下であるので、特定支保工を設置する場所の数を少なくしながら効率よく支えることができる。
【００２８】
請求項１０に記載の発明は、コンクリート構造体には梁が設けられており、前記梁は前記特定支保工によって支えられていることを特徴とする請求項１〜９のいずれかに記載のコンクリート構造体の施工方法である。
【００２９】
請求項１０に記載の発明によれば、コンクリート構造体には梁が設けられており、前記梁は前記特定支保工によって支えられているので、特定支保工によって支えられる梁により、効率よく支えることができる。
【００３０】
請求項１１に記載の発明は、前記特定支保工は、前記一般支保工よりも支持可能な荷重が大きいことを特徴とする請求項１〜１０のいずれかに記載のコンクリート構造体の施工方法である。
【００３１】
請求項１１に記載の発明によれば、前記特定支保工は、前記一般支保工よりも支持可能な荷重が大きいので、少ない特定支保工により、支持が可能となる。
【００３２】
一般支保工を取り外す際のコンクリートの圧縮強度は、単位平方ｍｍ当たり１３Ｎ以上であることが望ましい（請求項１２）。
【００３３】
型枠をコンクリート構造体の一部として使用してもよい（請求項１３）。
【発明の効果】
【００３４】
本発明のコンクリート構造体の施工方法によれば、最小限の型枠や支保工を用い、施工期間の短縮が可能である。
【発明を実施するための最良の形態】
【００３５】
以下さらに本発明の具体的実施例について説明する。図１は、本発明の施工方法により施工されるコンクリート構造体を内部から見たＡ−Ａ面における側面図である。図２は、本発明の施工方法で、型枠を設置した状態の内部から見たＢ−Ｂ面における側面図である。図３は、本発明の施工方法で、型枠を設置した状態の斜視図である。図４は、本発明の施工方法で、施工されるコンクリート構造体のスラブの下側を示した斜視図である。図５は、本発明の施工方法に用いられる支保工の斜視図である。図６は、本発明の施工方法で、型枠を設置した状態の上側から見た正面図である。図７は、本発明の施工方法で、型枠を設置した状態の下側から見た正面図である。本発明の施工方法で、型枠を設置した状態の上面図である。図８は、本発明の施工方法で、支保工の使用状況を示した模式図である。
【００３６】
本発明の第１の実施形態のコンクリート構造体の施工方法により施工されるコンクリート構造体は、従来技術により施工された図９，図１０に示されているコンクリート構造体１００と同様である。また、コンクリート構造体１はマンションなどの建築物を建設する際に最初に造られるものであり、骨格となる構造体である。
【００３７】
コンクリート構造体１には、スラブ１０、柱１１、壁部１２及び梁部１３が設けられ、スラブ１０と梁部１３により床部９となっている。また、スラブ１０、柱１１、壁部１２及び梁部１３は、鉄筋が内部に設けられて、鉄筋コンクリート造となっている。
尚、コンクリート構造体１は、通常、窓や扉となる開口が設けられるが、本明細書においては図示及び説明を省略する。
【００３８】
図１に示されるように、スラブ１０は水平方向に配置される板状の部分である。そして、スラブ１０（床部９）はコンクリート構造体１に上下に複数設けられている。上側のスラブ１０は、下側のスラブ１０の上側に設けられている柱１１や壁部１２及び梁１３により支えられている。
また、図４は、コンクリート構造体１をスラブ１０部分を取り除いた状態で上から見た図である。
【００３９】
梁部１３はスラブ１０の下側に設けられている。そして、スラブ１０の自重及びスラブ１０の上側部分から受ける力によって、スラブ１０がたわむことを防止する。梁部１３は必要に応じてコンクリート構造体１に設けられるものであり、スラブ１０のみからなる床部９であっても良い。
柱１１は上下に延びる長尺状であり、隣接する上下のスラブ１０同士の間に位置している。壁部１２は板状であり、上下方向に配置している。本実施形態の施工方法により施工されるコンクリート構造体１には、柱１１及び壁部１２が設けられて、その上側の部分の重力を支えているが、柱１１のみでもよく、また、壁部１２のみでもよい。
【００４０】
スラブ１０同士の間には、内部空間１６が設けられており、内部空間１６内に住居等のための施設等が設置される。そして、コンクリート構造体１には、上下に複数の内部空間１６が設けられている。
【００４１】
次に、コンクリート構造体１の施工方法について説明する。
本実施形態のコンクリート構造体１の施工方法を概略すると、下側の床部９を形成した後に上側の床部９を形成していくものである。また、その形成は、型枠２７を設置して、支保工４５を型枠２７の下側に配置して型枠２７を支え、型枠２７内にコンクリートを流し込み、支保工４５を取り外して行われる。さらに、支保工４５は一般支保工４６と特定支保工４７が用いられ、型枠２７内にコンクリートを流し込む前に一般支保工４６を設置し、コンクリートが設計強度に達する前の不完全養生状態で一般支保工４６を取り外して特定支保工４７により床部９を支え、コンクリートが設計強度に達した後に特定支保工４７を取り外すものである。
【００４２】
まず、図示しない基礎部を形成する。基礎部は、地面より下の部分に設けられ、コンクリート構造体１自体が傾いたり、倒れたりしないように支えるものである。具体的には、地盤にコンクリート杭などを埋設し、さらに前記杭をコンクリートで固めるなどして、形成されている。そして、基礎部の上面に１階床部２１を形成する。基礎部及び１階床部２１は、従来技術と同様に形成される。
【００４３】
そして、図２、図３に示されるように、１階床部２１の上側に、１階部分の柱１１及び壁部１２と、１階部分の柱１１及び壁部１２の上側に位置する２階の床のスラブ１０の型枠２７を設置する。
型枠２７は、従来技術と同様なものが用いられ、型枠２７の内側の空間３９を、コンクリート構造体１の形状に合わせて設置する。また、空間３９の上側は開口状である。
【００４４】
型枠２７は、スラブ用型枠３０、柱用型枠３１、壁用型枠３２及び梁用型枠３３を有している。そして、型枠２７は木製の板状であり、コンクリート構造体１の形状や大きさに合わせて、適当な大きさのものが使用される。具体的には型枠２７は長方形のベニヤ板に必要に応じて補強したものが用いられている。なお、かかる補強材の図示は省略している。
【００４５】
型枠２７の設置の前にあらかじめ、空間３９に、鉄筋を配して、スラブ１０、柱１１、壁部１２及び梁部１３を鉄筋コンクリート造としている。なお、必要に応じて、鉄骨を空間３９に配置して鉄骨鉄筋コンクリート造としても良い。
【００４６】
型枠２７は適宜、従来技術と同様に釘などの固定方法により固定される。また、スラブ用型枠３０及び梁用型枠３３は、後述するように、型枠保持材４４を設置した後で設置される。
【００４７】
スラブ用型枠３０は、図２に示されるように、支保工４５によって支えられている。支保工４５は、従来より使用されているものと同様であり、図５に示されるように、上下にフランジ部４５ｂを有して長さが可変できる円筒状の部材である。支保工４５は、コンクリート構造体１の構造などに応じて、適当な長さや太さのものを選定して用いる。
そして、中間部に設けられたねじ部４５ａを回転させることにより、支保工４５は型枠２７などを支持している状態で、さらに長さを長くすることができ、支保工４５により支えている状態で、軸力を加えて、軸力調節することが出来る。この軸力は支持力となり、後述するように支持力を調整することができる。
【００４８】
スラブ用型枠３０及び梁用型枠３３は、型枠保持材４４の上に設置される。型枠保持材４４は、木製や金属製の角柱状のものが用いられる。型枠保持材４４は、上下２段に配置されており、上側の型枠保持材である根太４４ａと、根太４４ａの下側に位置する大引４４ｂが設けられている。
【００４９】
本実施形態においては、スラブ用型枠３０と、支保工４５と、型枠保持材４４である根太４４ａ及び大引４４ｂの配置に特徴を有しており、図６，図７を用いて説明する。
図７に示されるように、根太４４ａ及び大引４４ｂが配置される。上下の位置関係は、支保工４５の上側に大引４４ｂが配置しており、大引４４ｂの上側に根太４４ａが配置しており、さらに根太４４ａの上側にスラブ用型枠３０が設けられている。
【００５０】
スラブ用型枠３０はスラブ１０の下側の位置で水平方向に敷き詰められている。スラブ用型枠３０には、定形の板である複数の定形型枠３５と、定形型枠３５とは形が異なる異形型枠３６を有している。
図６に示されるように、スラブ用型枠３０の定形型枠３５は、スラブ１０の両端側から敷き詰めて設置される。そして、スラブ１０の中程にできる、定形型枠３５よりも幅が小さい隙間に異形型枠３６が敷き詰められる。したがって、異形型枠３６はスラブ１０の中程に位置しており、定形型枠３５に比べて小さい。なお、この異形型枠３６の配置は、後述するように、特定支保工４７の位置に合わせられている。
【００５１】
根太４４ａは複数設けられ、スラブ用型枠３０の幅よりも短い間隔で略平行にスラブ１０の全面に配置している。根太４４ａによって、スラブ１０の全面に設けられているスラブ用型枠３０を支える。そして、図７に示されるように、根太４４ａの下側で、根太４４ａの長手方向と垂直となるように大引４４ｂが配置されている。大引４４ｂは、根太４４ａと同様に複数設けられ、スラブ１０の全面に配置して根太４４ａを支えている。
【００５２】
支保工４５には、一般支保工４６と特定支保工４７とを有している。特定支保工４７は一般支保工４６よりも太く、より大きな荷重を支えることができる。
また、図２に示されるように、一般支保工４６は、型枠保持材４４の下側と１階床部２１の間に設けられ、型枠保持材４４を支えて、間接的にスラブ用型枠３０を支えている。また、特定支保工４７はスラブ用型枠３０の異形型枠３６と１階床部２１の間に設けられ、異形型枠３６ａを直接支えている。
特定支保工４７による支持の際、フランジ部４５ｂの先に、ばた角などと呼ばれる木製の角材や木製の平板等を中継材として、型枠２７等との間に挟んでも良く、また、１つの中継材を複数の特定支保工４７によって挟んでもよい。
【００５３】
一般支保工４６の配置は、従来技術と同様に、大引４４ｂを支えるように多数配置され、コンクリート打設後にスラブ１０の部分のコンクリートの重さを支えることができる。
また、特定支保工４７の配置は、検討結果により決められる。すなわち、設計段階でコンクリート構造体１の構造の力学計算や、養生時間とコンクリート強度との関係等により、不完全養生状態で一般支保工４６を取り外すまでの期間を算出し、また、特定支保工４７により床の部分を支える配置を検討する。
一般支保工４６を取り外すまでの養生時間は、スラブ１０等の床部９について構造計算を行い、養生によって得られるコンクリート強度が、特定支保工４７により床部９を支えた状態におけるコンクリートの所定強度を超えるように設定する。
【００５４】
また、特定支保工４７は、仕上げ工程などの邪魔にならないような配置とするのが望ましく、特定支保工４７により床部９を支えた状態におけるコンクリートの応力状態が、床部９の場所による差が小さくなるように、特定支保工４７を配置するのが望ましい。また、梁部１３が設けられている場合には、梁部１３を支えるように特定支保工４７を配置するのが望ましい。
【００５５】
本実施形態の特定支保工４７の配置は、図７に示されている。
特定支保工４７によって床部９を支える場合、一カ所に一本の特定支保工４７により行っても良く、一カ所に複数の特定支保工４７を用いても良い。本実施形態では、一カ所で２本の特定支保工４７が用いられている。
【００５６】
特定支保工４７は複数の場所に配置されており、本実施形態では３カ所に各２本ずつ設けられている。そして、特定支保工４７の配置は、直線状の配列となっている。なお、特定支保工４７の配置を説明の際に、一つの場所に複数の特定支保工４７を用いた場合には一カ所として説明する。
【００５７】
本実施形態の床部９の形状は略長方形であり、前記した特定支保工４７の配列の方向が、床部９の長辺に平行となっており、また、その位置は床部９の中央に位置している。
【００５８】
なお、特定支保工４７は、隣接する他の特定支保工４７との間隔は２ｍ以上であって５ｍ以下であるのが望ましい。かかる間隔にすることにより、少ない特定支保工４７で効率よく支えることができる。さらに、床部９の任意の場所において、特定支保工４７、柱１１及び壁部１２のいずれかまでの最短距離が１ｍ以上であって２．５ｍ以下となるように特定支保工４７の配置を行うことが望ましい。
また、床部９の短辺の幅が１０ｍ以上の幅広の場合には、特定支保工４７の配置を、直線状の配列を複数として、これらの配列の全てを略平行となるような配置とすることができる。
【００５９】
そして、この検討結果に従って特定支保工４７を配置する。一般支保工４６及び特定支保工４７の配置は、図７に示されている。
【００６０】
また、図７に示されるように、特定支保工４７は、根太４４ａや大引４４ｂを介さずに、直接的に異形型枠３６ａを支えている。特定支保工４７に支えられている異形型枠３６ａは、他の異形型枠３６よりも小さい。そして、異形型枠３６ａの幅は、根太４４ａの設置間隔の幅に合わせて、異形型枠３６ａが根太４４ａの上に配置し、異形型枠３６ａが２本の根太４４ａの間に位置するようにしてもよい。かかる場合には、異形型枠３６ａをより小さくすることが可能である。
【００６１】
なお、本実施形態に用いられる特定支保工４７は一般支保工４６よりも太く、大きな荷重を支えることができるので、より少ない本数の特定支保工４７で支持することができる。
【００６２】
また、梁用型枠３３についても、スラブ用型枠３０と同様に設置する。すなわち、梁用型枠３３は、根太４４ａ・大引４４ｂを介して一般支保工４６により支えられている。また、特定支保工４７を用い、根太４４ａや大引４４ｂを介さずに、直接的に梁用型枠３３を支え、特定支保工４７により支えられる梁用型枠３３を異形型枠３６ａとしている。
【００６３】
上記したように、型枠２７、型枠保持材４４及び支保工４５を設置した後、空間３９の上側からコンクリートを流し込む。空間３９の下側から徐々にコンクリートが充填し、２階の床のスラブ１０の上側まで充填する。コンクリートの材質は、公知のものが用いられる。
【００６４】
このスラブ１０を形成する際に、だめ穴と呼ばれる資材運搬用の貫通孔を設けるようにしてもよい。このだめ穴は、上階と下階を貫通するように設けられており、下階で使用した型枠２７、型枠保持材４４及び支保工４５などを手渡しなどで上階に運び上げることができる。そして、上階の施工の際などにコンクリートにより、だめ穴が塞がれる。
【００６５】
さらに、そのままの状態で、養生させる。養生させていくと、徐々にコンクリートの強度が増す。
【００６６】
そして、支持力調整作業を行う。この支持力調整作業は、ある程度のコンクリート強度が必要であり、コンクリート打設後から中１日以上経過した後、すなわち、コンクリート打設した日の翌々日より後に行われる。
また、支持力調整作業は一般支保工４６を取り外す前までに行われる。そして、支持力調整作業の時期は一般支保工４６を取り外す直前がコンクリート強度が高いので望ましく、具体的には支持力調整作業から一般支保工４６を取り外すまでの時間が２４時間以内であることが望ましい。支持力調整作業は、特定支保工４７のねじ部４５ａ調整して、特定支保工４７の長さを長くして支持力を大きくすることにより行われる。
【００６７】
この支持力調整作業はねじ部４５ａを調整して、特定支保工４７の軸力（支持力）が所定の軸力となるように行われるが、具体的には、手動によりねじ部４５ａを回転させ、さらに、工具を用いて所定の回転角度だけねじ部４５ａを回転させて行われる。このように行うことにより、誰にでもわかりやすく操作を間違えることが無く、工事現場でほぼ均一な軸力を簡単に得ることができる。
また、支持力調整作業による調整後の特定支保工４７の軸力（支持力）は、１．９６ｋＮ（２００ｋｇｆ）以上となるように調整することが望ましい。さらには、５．８８ｋＮ（６００ｋｇｆ）以上となるように調整することが望ましい。このような軸力となるように調整することにより、一般支保工４６を取り外して特定支保工４７に大きな軸力がかかる際に、より小さな変形で軸力を大きくなり、コンクリートの変形を小さくすることができる。
【００６８】
コンクリート打設後、所定の期間経過後に、不完全養生状態で、特定支保工４７を残して、一般支保工４６を全て取り外す。この期間は、上記した検討結果により予め計算によって得られた期間で、コンクリート強度は所定強度以上である。また、テストピースによるコンクリート圧縮試験により強度を確認した後に、一般支保工４６を取り外す。この期間は通常、コンクリート打設後中３日程度である。
【００６９】
一般支保工４６の取り外しの際のコンクリートの所定強度、すなわち、不完全養生状態でのコンクリート強度は、圧縮強度が単位平方ｍｍ当たり１３Ｎ以上が望ましい。このような状態で行うことにより、コンクリートの破損を防ぐことができる。
【００７０】
このとき、根太４４ａ及び大引４４ｂは、一般支保工４６によって支えられているので、一般支保工４６を取り外すことにより取り外しが可能である。
さらに、型枠２７も取り外す。スラブ用型枠３０については、異形型枠３６ａが特定支保工４７により支持されており、特定支保工４７を取り外さないと異形型枠３６ａを取りはずことが出来ないが、異形型枠３６ａ以外のスラブ用型枠２７については、根太４４ａを取り外すことにより取り外しが可能である。そして、異形型枠３６ａ以外のスラブ用型枠２７を取り外す。
【００７１】
このようにして、根太４４ａ、大引４４ｂ、一般支保工４６及び異形型枠３６ａ以外の型枠２７を取り外すと、コンクリート構造体１の床部９は、特定支保工４７により支えられる。また、型枠２７は、異形型枠３６ａのみとなる。
【００７２】
従来技術では、設計強度に達するまで約４週間程度養生させて型枠２７及び支保工４５を取り外していたが、本実施形態では、コンクリート打設後、短期間でほとんどの型枠２７及び一般支保工４６を取り外すことができる。
また、特定支保工４７により支持しているスラブ用型枠３０は、特定支保工４７を取り外すまで、取り外すことができないが、このスラブ用型枠３０は異形型枠３６ａであり、後述するように、上階でスラブ用型枠３０を再度使用する際に、定形型枠３５をそのまま使用することができる。特定支保工４７の取り外しは、床部９が設計強度に達した後に行われる。さらに、異形型枠３６ａは、定形型枠３５に比べて小さく、他の異形型枠３６に比べて小さいので、後述するように、仕上げ工程などの次工程の作業の際に邪魔になりにくい。
【００７３】
そして、２階の床スラブ１０の上側に、２階部分の柱１１及び壁部１２と、２階部分の柱１１及び壁部１２の上側に位置する３階の床のスラブ１０を、１階部分と同様に、型枠２７を用いコンクリートを打設して形成する。
一般支保工４６、型枠２７及び型枠保持材４４（根太４４ａ、大引４４ｂ）は、１階部分で使用して取り外したものをそのまま直上階で用いることができるので、１セットあればよく、仮置きの場所も不要である。
【００７４】
このとき、スラブ１０に上記しただめ穴が設けられている場合には、下階で使用した一般支保工４６、型枠２７及び型枠保持材４４を上階に持ち上げて、上階での作業にすぐに用いることができる。
したがって、一般支保工４６などについては、クレーンなどにより荷揚げを行う必要が無く、従来技術で必要であった、各階に設けられる一般支保工４６用の荷揚げ用のステージは不要となる。
【００７５】
３階より上側も同様に、コンクリートを打設して形成し、最上階まで行う。そして、コンクリート構造体１が完成する。
【００７６】
図８は、コンクリート構造体１を施工する際の支保工４５の使用状況を示した図である。１階部分のコンクリートを流し込んで、一般支保工４６を取り外すまでは、図８（ａ）の状態であり、一般支保工４６及び特定支保工４７によりコンクリート構造体１が支えられている。そして、所定の期間の後、一般支保工４６及び型枠２７を外して２階部分で組み立てる。このとき、１階部分の特定支保工４７をそのままとして、２階部分の特定支保工４７は別のものを用いる。そして、２階部分のコンクリートを流し込む。この状態が図８（ｂ）の状態である。
【００７７】
さらに、３階部分及び４階部分のコンクリート構造体１も同様にして形成し、図８（ｃ）の状態から図８（ｄ）の状態となる。そして、４階部分に用いる特定支保工４７は、１階部分で用いた特定支保工４７を用いることができる。
したがって、コンクリート構造体１の施工段階では、特定支保工４７は三階分（３セット）が用いられて行われる。
【００７８】
なお、特定支保工４７の取り外しの際には、従来技術の方法における全ての支保工４５を取り外す際と同様に、コンクリート強度が設計上の強度となっているか確認した後に取り外すものである。したがって、本実施形態のコンクリート打設から特定支保工４７の取り外しが可能となる期間と、従来技術の方法のコンクリート打設から支保工４５の取り外しが可能となる期間はほぼ同じである。
【００７９】
本発明の実施形態によれば、一般支保工４６及び型枠２７をコンクリートを打設から短期間で取り外しができ、サイクル期間の短縮が可能であるので、仕上げ工程などの次工程の作業が可能となり、例えば、コンクリート壁の表面処理、サッシの取り付け、ダクトの取り付け、電気配線、ユニットバスなどの搬入、間仕切り壁の造作などが早期に開始でき、躯体工事と仕上げ工事の時間差の短縮により、施工期間の短縮が図ることができ、また仕上げ工程の期間を確保することができる。
【００８０】
１階部分で用いた特定支保工４７を、４階部分で用いる際に、クレーンなどにより荷揚げを行う必要があり、各階に荷揚げ用のステージが必要となる。仕上げ工程で用いる材料の搬入に用いるステージを、仕上げ工程で用いる材料の搬入後に、用いることができるので、特定支保工４７用のステージを作らなくても作業することができる。
【００８１】
上記したコンクリート構造体１の施工方法は、以下のような利点がある。
まず、一般支保工４６、特定支保工４７で支えられていない型枠２７及び型枠保持材４４は、コンクリートの打ち込みから短期間で取り外すことができるので、直上階の作業に使用でき、これら資材は一セットあればよい。したがって、だめ穴を用いることにより、クレーンなどによる荷揚げが不要であり、それに伴う荷揚げ用ステージが不要となり、少ない資材で作業を行うことができる。
次に、特定支保工４７と、特定支保工４７で支えられている型枠２７以外は、早い段階で取り外すことができるので、次工程の仕上げ工程を早く着手することができる。したがって、従来技術の工法に比べて、最上階や最上階付近の階の仕上げ工程の着手及び完了を早くすることができ、全体の工期を短縮することができる。また、型枠２７の早期取り外しため使用していた早強コンクリートを使用しなくとも、型枠２７の早期取り外しが可能となり、コスト低減を図ることができる。
また、型枠２７の取り外し後のコンクリート部分の補修や修正を行うことが必要となる問題が発生した場合、型枠を早期に取り外すことができるので早期に問題を発見することができ、工期の遅れを最小限とすることができる。
【００８２】
また、特定支保工４７の設置は、一般支保工４６と同時に設置しなくてもよく、一般支保工４６の取り外しまでに行えばよい。
【００８３】
さらに、上記した実施形態では、スラブ用型枠３０等の型枠２７は、最後には取り外されるものであったが、型枠２７をいわゆる「捨て型枠」としてコンクリート構造体１に取り付いた状態のままとして型枠２７をコンクリート構造体１の一部とし、型枠２７を取り外す工程の無いものでも適用することが出来る。
具体的には、鉄筋コンクリート板（ＲＣ板）をスラブ用型枠３０として用いてコンクリートを打設し、前記スラブ用型枠３０を取り外さないでそのまま残す工法や、スラブ用型枠３０となる鉄板の上側にコンクリート構造体１の鉄筋を設けたものを用い、スラブ用型枠３０を取り外さないでそのまま残す工法に用いることが出来る。なお、これらの工法は、「スラブ工業化工法」と呼ばれるものである。
【００８４】
また、コンクリート構造体１のスラブ１０の構造については、従来より用いられている他の構造を採用することができ、具体的には、中空ボイド、エスレンボイド、スパンクリート、アンボンドなどがある。
【００８５】
中空ボイドは、スラブ１０の内部にパイプを配置して、コンクリートを打設し、スラブ１０の内部に空間を有する構造である。エスレンボイドは、ＰＣａ（プレキャストコンクリート）板の上に樹脂発泡体を所定の間隔に配置して、コンクリートを打設して形成するものである。なお、この樹脂発泡体をあらかじめＰＣ板に取り付けたものを用いても良い。
スパンクリートは、中空孔をもったＰＣ板である。ＰＣ板とは鋼線を引っ張った状態でコンクリートを硬化させてコンクリートに圧縮応力を付与させた板のことであり、コンクリートに引張応力が加わった時の強度を大きくすることができる。
アンボンドは、放物線状に配置した鋼線を鉄筋の配筋と同時に配置してコンクリートを打設して硬化させ、専用ジャッキを使って鋼線を緊張させるものである。そうすることにより、放物線状に配置された鋼線によって、コンクリート構造体にプレストレスを与え、上向きの吊り上げ力を発揮することができる。
【産業上の利用可能性】
【００８６】
本発明は、最小限の型枠や支保工を用い、施工期間の短縮が可能なコンクリート構造体の施工方法に用いることができる。
【図面の簡単な説明】
【００８７】
【図１】本発明の施工方法により施工されるコンクリート構造体を内部から見たＡ−Ａ面における側面図である。
【図２】本発明の施工方法で、型枠を設置した状態の内部から見たＢ−Ｂ面における側面図である。
【図３】本発明の施工方法で、型枠を設置した状態の斜視図である。
【図４】本発明の施工方法で、施工されるコンクリート構造体のスラブの下側を示した斜視図である。
【図５】本発明の施工方法に用いられる支保工の斜視図である。
【図６】本発明の施工方法で、型枠を設置した状態の上側から見た正面図である。
【図７】本発明の施工方法で、型枠を設置した状態の下側から見た正面図である。
【図８】本発明の施工方法で、支保工の使用状況を示した模式図である。
【図９】コンクリート構造体の斜視図である。
【図１０】コンクリート構造体の内部を示した斜視図である。
【符号の説明】
【００８８】
１    コンクリート構造体
９    床部
１０  スラブ
２７  型枠
３０  スラブ用型枠
３５  定形型枠
３６、３６ａ  異形型枠
４４  型枠保持材
４５  支保工
４６  一般支保工
４７  特定支保工
【図１】
2006226106.tif 000003
【図２】
2006226106.tif 000004
【図３】
2006226106.tif 000005
【図４】
2006226106.tif 000006
【図５】
2006226106.tif 000007
【図６】
2006226106.tif 000008
【図７】
2006226106.tif 000009
【図８】
2006226106.tif 000010
【図９】
2006226106.tif 000011
【図１０】
2006226106.tif 000012